(57)【要約】  たった一体のリング状巻線型インダクタにより広い周波数帯域において高い減衰特性を実現し得る極めて実用性に秀れた画期的なリング状巻線型インダクタを提供する。トロイダルコア１の外周部に導線２を巻線して成るリング状巻線型インダクタであって、前記トロイダルコア１の外周部に連続的に巻線した前記導線２の巻線径が一定ではなく巻線箇所によって異なる巻線径となるように、このトロイダルコア１の外周部の断面形状を一定ではなく箇所によって変化した形状に設定する。
2008084684.tif 000002
【特許請求の範囲】
【請求項１】
トロイダルコアの外周部に導線を巻線して成るリング状巻線型インダクタであって、前記トロイダルコアの外周部に連続的に巻線した前記導線の巻線径が一定ではなく巻線箇所によって異なる巻線径となるように、このトロイダルコアの外周部の断面形状を一定ではなく箇所によって変化した形状に設定したことを特徴とするリング状巻線型インダクタ。
【請求項２】
前記トロイダルコアの外周面に連続的に巻線した前記導線の巻線径が一定ではなくこのトロイダルコアの周方向に沿って徐々に漸増若しくは漸減するように、このトロイダルコアの外周面の断面形状を一定ではなくこのトロイダルコアの周方向に沿って外周面の断面形状の面積（断面積）が徐々に漸増若しくは漸減する形状に設定したことを特徴とする請求項１記載のリング状巻線型インダクタ。
【請求項３】
前記トロイダルコアは中央部にリング孔を有するリング状とすると共に、このトロイダルコアを側面視において肉厚が一定ではなく変化した形状とする，若しくは，平面視においてこのトロイダルコアのリング孔の内面部からトロイダルコアの外側周面部までの距離が一定ではなく変化した形状とすることで、このトロイダルコアの前記導線が巻線される外周部の断面形状を一定ではなく箇所によって変化した形状に設定したことを特徴とする請求項１，２のいずれか１項に記載のリング状巻線型インダクタ。
【請求項４】
前記トロイダルコアは、側面視において肉厚が最小となる箇所から最大となる箇所までその肉厚が急激に増減せず徐々に漸増する形状に設定したことを特徴とする請求項３記載のリング状巻線型インダクタ。
【請求項５】
前記トロイダルコアは中央部にリング孔を有するリング状とすると共に、このトロイダルコアの中心位置に対してリング孔の孔中心位置が重合位置とせず位置ズレした偏心リング状にトロイダルコアの形状を設定して、このトロイダルコアの前記導線が巻線される外周部の断面形状を一定ではなく箇所によって変化した形状に設定したことを特徴とする請求項１〜４のいずれか１項に記載のリング状巻線型インダクタ。
【請求項６】
前記トロイダルコアは、外周部の断面形状の面積（断面積）が最小となる箇所に対して、外周部の断面形状の面積（断面積）が最大となる箇所の面積比が１．１倍〜５００倍となる形状に設定したことを特徴とする請求項１〜５のいずれか１項に記載のリング状巻線型インダクタ。
【請求項７】
前記トロイダルコアは、外周部の断面形状の面積（断面積）が最小となる箇所に対して、外周部の断面形状の面積（断面積）が最大となる箇所の面積比が１．５倍〜１１．２倍となる形状に設定したことを特徴とする請求項１〜５のいずれか１項に記載のリング状巻線型インダクタ。
【請求項８】
前記トロイダルコアは、外側周面部及びこのトロイダルコアのリング孔の内面部の形状を円状若しくは少なくとも五角形以上の多角形状に設定し、このトロイダルコアの外周部の断面形状の面積（断面積）が最小となる箇所から最大となる箇所まで、このトロイダルコアの周方向に沿って外周部の断面形状の面積（断面積）が急激に増減せずに徐々に漸増する形状に設定したことを特徴とする請求項１〜７のいずれか１項に記載のリング状巻線型インダクタ。
【請求項９】
前記トロイダルコアは、コアの厚みが０．１〜２５０ｍｍであり、コアの外形の直径が１．５〜３００ｍｍであり、かつコアの中心孔の直径が０．７〜２５０ｍｍであることを特徴とする請求項１〜８のいずれか１項に記載のリング状巻線型インダクタ。
【発明の詳細な説明】
【技術分野】
【０００１】
本発明は、例えばプリント配線板の回路配線などに実装されるリング状巻線型インダクタに関するものである。
【背景技術】
【０００２】
強磁性を有するリング状のトロイダルコアの外周部に連続的に導線を巻線して構成された、いわゆるトロイダルコイル（リングコイル）と呼ばれるリング状巻線型インダクタが従来から種々提案されている（例えば特許文献１，２）。【０００３】
このリング状巻線型インダクタは、磁束の多くがリング状のトロイダルコア自身を通過する構造上、漏れ磁束が少なく、周囲の物体の影響を受けにくいなどの利点を有し、安定したインダクタンスを発揮できることから、特に高周波回路に好んで使用されている。【０００４】
ところで、この従来のリング状巻線型インダクタ（以下、従来品という。）は、導線を連続的に巻線する前記トロイダルコアの外周部の断面形状が一定の形状に形成されている為、この外周部に連続的に巻線する前記導線の巻線径も一定の径となる構造である。【０００５】
従って、従来品は、導線の巻線径が常に一定であるため、単一の共振周波数しか有しておらず、それ故、その共振周波数帯域においてはインピーダンスが良好に増大し高い減衰特性（インダクタ特性）が得られるものの、その共振周波数帯域を外れると、直ちにインピーダンスが低減し、それに伴い減衰特性が減衰してしまうという特性を有した。即ち、狭い周波数帯域にしか有効ではない（高い減衰特性を得られない）ため、広い周波数帯域において高い減衰特性を必要とする場合、共振周波数の異なる複数の従来品を一つの回路に複数実装する必要があり、それだけコストが高くつく上に、それだけ実装スペースも多く嵩張り回路装置自体の大型化の原因となるなど、種々の問題を有した。
【特許文献１】特開２００２−２１７０４６号公報
【特許文献１】特開２００５−１４２３１６号公報
【発明の開示】
【発明が解決しようとする課題】
【０００６】
本発明は、従来から提案されているこの種のリング状巻線型インダクタについての更なる研究開発を進め、一体のリング状巻線型インダクタで複数の共振周波数を有する構成を簡単な構造で実現し得、これにより、たった一体のリング状巻線型インダクタによって、広い周波数帯域において高い減衰特性を実現し得る極めて実用性に秀れた画期的なリング状巻線型インダクタを提供することを課題とする。
【課題を解決するための手段】
【０００７】
添付図面を参照して本発明の要旨を説明する。
本発明の請求項１記載の発明は、トロイダルコア１の外周部に導線２を巻線して成るリング状巻線型インダクタであって、前記トロイダルコア１の外周部に連続的に巻線した前記導線２の巻線径が一定ではなく巻線箇所によって異なる巻線径となるように、このトロイダルコア１の外周部の断面形状を一定ではなく箇所によって変化した形状に設定したことを特徴とするリング状巻線型インダクタに係るものである。【０００８】
また、本発明の請求項２記載の発明は、前記トロイダルコア１の外周面に連続的に巻線した前記導線２の巻線径が一定ではなくこのトロイダルコア１の周方向に沿って徐々に漸増若しくは漸減するように、このトロイダルコア１の外周面の断面形状を一定ではなくこのトロイダルコア１の周方向に沿って外周面の断面形状の面積（断面積）が徐々に漸増若しくは漸減する形状に設定したことを特徴とする請求項１記載のリング状巻線型インダクタに係るものである。【０００９】
また、本発明の請求項３記載の発明は、前記トロイダルコア１は中央部にリング孔３を有するリング状とすると共に、このトロイダルコア１を側面視において肉厚が一定ではなく変化した形状とする，若しくは，平面視においてこのトロイダルコア１のリング孔３の内面部からトロイダルコア１の外側周面部までの距離が一定ではなく変化した形状とすることで、このトロイダルコア１の前記導線２が巻線される外周部の断面形状を一定ではなく箇所によって変化した形状に設定したことを特徴とする請求項１，２のいずれか１項に記載のリング状巻線型インダクタに係るものである。【００１０】
また、本発明の請求項４記載の発明は、前記トロイダルコア１は、側面視において肉厚が最小となる箇所から最大となる箇所までその肉厚が急激に増減せず徐々に漸増する形状に設定したことを特徴とする請求項３記載のリング状巻線型インダクタに係るものである。【００１１】
また、本発明の請求項５記載の発明は、前記トロイダルコア１は中央部にリング孔３を有するリング状とすると共に、このトロイダルコア１の中心位置に対してリング孔３の孔中心位置が重合位置とせず位置ズレした偏心リング状にトロイダルコア１の形状を設定して、このトロイダルコア１の前記導線２が巻線される外周部の断面形状を一定ではなく箇所によって変化した形状に設定したことを特徴とする請求項１〜４のいずれか１項に記載のリング状巻線型インダクタに係るものである。【００１２】
また、本発明の請求項６記載の発明は、前記トロイダルコア１は、外周部の断面形状の面積（断面積）が最小となる箇所に対して、外周部の断面形状の面積（断面積）が最大となる箇所の面積比が１．１倍〜５００倍となる形状に設定したことを特徴とする請求項１〜５のいずれか１項に記載のリング状巻線型インダクタに係るものである。【００１３】
また、本発明の請求項７記載の発明は、前記トロイダルコア１は、外周部の断面形状の面積（断面積）が最小となる箇所に対して、外周部の断面形状の面積（断面積）が最大となる箇所の面積比が１．１倍〜５００倍となる形状に設定したことを特徴とする請求項６記載のリング状巻線型インダクタに係るものである。【００１４】
また、本発明の請求項８記載の発明は、前記トロイダルコア１は、外側周面部及びこのトロイダルコア１のリング孔３の内面部の形状を円状若しくは少なくとも五角形以上の多角形状に設定し、このトロイダルコア１の外周部の断面形状の面積（断面積）が最小となる箇所から最大となる箇所まで、このトロイダルコア１の周方向に沿って外周部の断面形状の面積（断面積）が急激に増減せずに徐々に漸増する形状に設定したことを特徴とする請求項１〜７のいずれか１項に記載のリング状巻線型インダクタに係るものである。【００１５】
また、本発明の請求項９記載の発明は、前記トロイダルコアは、コアの厚みが０．１〜２５０ｍｍであり、コアの外形の直径が１．５〜３００ｍｍであり、かつコアの中心孔の直径が０．７〜２５０ｍｍであることを特徴とする請求項１〜８の記載のいずれか１項に記載のリング状巻線型インダクタに係るものである。
【発明の効果】
【００１６】
本発明は上述のように構成したから、トロイダルコアの外周部に連続的に巻線した導線の巻線径が巻線箇所によって異なり、これにより本発明品は一体で複数の異なる共振周波数を有することができ、この複数の異なる共振周波数により広い周波数帯域において秀れた（高い）減衰特性を発揮できる。【００１７】
また、トロイダルコアの外周部が箇所により変化する形状となっており、単にこの外周部に連続的に導線を巻線することで導線の巻線径が一定ではなく異なり上記の秀れた減衰特性を有する構造を簡易に実現でき量産性やコスト性にも秀れる。【００１８】
また、従来の導線を連続的に巻線する前記トロイダルコアの外周部の断面形状が一定の形状に形成されているリング状巻線型インダクタに比較し、その温度上昇が非常に少ない。従って、発熱による機器部品への影響が少ない効果がある。【００１９】
さらに、単一の共振周波数しか有さない従来品を使用して広い周波数帯域において高い減衰特性を実現するには、一つの電子回路に共振周波数の異なる複数種類の従来品を実装しなければならなかったが、この点、本発明によればたった一体で広い周波数帯域における高い減衰特性が得られ、それだけ少ない部品点数で広い周波数帯域における高い減衰特性を実現でき、実装コストを抑えると共に実装スペースも少なく済み回路装置の小型化なども容易に図り得る。更に、本発明品自体も簡易構造で、あくまで従来品と略同様のコストで製造実現可能な量産性やコスト性に秀れた構造で、よって、本発明は実用性及び量産性に秀れた極めて画期的で商品価値の高いリング状巻線型インダクタとなる。
【図面の簡単な説明】
【００２０】
【図１】本発明の実施例１に係るリング状巻線型インダクタの斜視図である。
【図２】本発明の実施例１の他の例を示す斜視図である。
【図３】本発明の実施例２を示す側断面図である。
【図４】本発明の実施例２を示す平面図である。
【図５】本発明の実施例３を示す側断面図である。
【図６】本発明の実施例３を示す平面図である。
【図７】本発明の実施例１の減衰特性比較試験方法を示す説明図である。
【図８】本発明の実施例１の他の減衰特性比較試験方法を示す説明図である。
【図９】本発明の実施例１の減衰特性比較試験結果を示す説明図である。
【図１０】本発明の実施例１の他の減衰特性比較試験結果を示す説明図である。
【図１１】本発明の実施例１の具体的設計例を示す図である。
【図１２】本発明の実施例１の他の具体的設計例を示す図である。
【図１３】本発明の実施例３の具体的設計例を示す図である。
【図１４】本発明の実施例３の他の具体的設計例を示す図である。
【図１５】図１６〜図１８に示される実験結果に用いられた各サンプルの構造を示す図である。
【図１６】実施例１〜３について、従来品と比較した各サンプルの周波数―損失特性を示す図である。
【図１７】実施例１〜３について、従来品と比較した各サンプルの直流重畳特性を示す図である。
【図１８】実施例３について、従来品と比較した各サンプルの温度上昇特性の実験結果を示す図である。
【図１９】本発明の実施例３の斜視図である。
【図２０】本発明の実施例の応用例を示す図である。
【図２１】本発明の実施例３の他の例の斜視図を示す図である。
【図２２】本発明の実施例１の他の例についての図２３，図２４の特性測定に用いたサンプルの説明図である。
【図２３】本発明の実施例１の他の例について行った周波数特性の比較試験結果を示すグラフである。
【図２４】本発明の実施例１の他の例について行った図２３の周波数特性の比較試験結果を他のパラメータから見たグラフである。
【符号の説明】
【００２１】
１      トロイダルコア
２      導線
３      リング孔
１０      トロイダルコア
１１      リング孔
１２      トロイダルコア
１３      リング孔
１５      トロイダルコア
１６      リング孔
２０      トロイダルコア
２１      リング孔
【発明を実施するための最良の形態】
【００２２】
好適と考える本発明の実施形態（発明をどのように実施するか）を、図面に基づいて本発明の作用を示して簡単に説明する。
本発明は、トロイダルコア１の外周部に導線２を巻線して成るリング状巻線型インダクタに関するものである。【００２３】
本発明のトロイダルコア１は、図１，図２や図１９，図２１に示すように、前記導線２が連続的に巻線されるその外周部の断面形状が、一定ではなく箇所によって変化した形状に設定している。それ故、このトロイダルコア１の外周部に連続的に巻線した前記導線２の巻線径は一定ではなく、巻線箇所によって異なる巻線径となる。【００２４】
即ち、従来品は導線２の巻線径が一定でありそれ故単一の共振周波数しか有していなかったところを、本発明品においては導線２の巻線径が巻線箇所によって異なる構成である為、一体で複数の共振周波数を保有でき、それだけ広い周波数帯域で高い減衰特性が得られることとなる。【００２５】
しかも、単に外周部の断面形状を一定ではなく箇所によって変化した形状に設定されたトロイダルコア１に導線２を連続的に巻線して成る簡易な構成である為、導線２の巻線径が巻線箇所により異なり複数の共振周波数を有する秀れた構造を簡易に実現でき得ることとなる。【００２６】
従って、これまで、広い周波数帯域において高い減衰特性を得るには、単一の共振周波数しか有さない従来品を複数種類実装しなければならなかったところを、本発明によれば、たった一体のリング状巻線型インダクタで広い周波数帯域における秀れた減衰特性を得ることができるから、それだけ実装数を減らし、低コストにして実装スペースも少なく済み回路装置の小型化なども容易に図り得、しかもこの秀れた減衰特性を有する構造を簡易な構成で実現でき量産性やコスト性にも秀れるなど、極めて画期的で実用性に秀れたものとなる。【００２７】
尚、例えばトロイダルコア１の外周面に連続的に巻線した前記導線２の巻線径が一定ではなくこのトロイダルコア１の周方向に沿って徐々に漸増若しくは漸減するように、このトロイダルコア１の外周面の断面形状を一定ではなくこのトロイダルコア１の周方向に沿ってこの外周面の断面形状の面積，即ち断面積が徐々に漸増若しくは漸減する形状に設定した場合、トロイダルコア１の外周部の断面形状が急激に増減せず徐々に漸増若しくは漸減する形状とした為、それだけこのトロイダルコア１に導線２を巻線する作業を別段の困難性無く従来同様に行うことができる。【００２８】
しかも、導線２の巻線径が徐々に漸増若しくは漸減することで、連続的に異なる複数の共振周波数を有することとなるから、所定の広い周波数帯域において連続的に高い減衰特性を発揮できる構造となり、例えば、或る特定の広い周波数帯域の全域で、特定値以上の高い減衰特性が得られるように設定することも簡易に実現可能となる。【００２９】
また、トロイダルコア１の外周部の断面形状は、例えば、このトロイダルコア１を側面視において肉厚が一定ではなく変化した形状（図３参照）としたり、また例えば、平面視においてトロイダルコア１の中央部のリング孔３の内面部からこのトロイダルコア１の外側周面部までの距離が一定ではなく変化した形状（図１，図２参照）としたりすることで、トロイダルコア１の外周部の断面形状が箇所によって変化する形状を簡易に設計実現可能である。【００３０】
特に、図１に図示したように、このトロイダルコア１の中心位置に対してリング孔３の孔中心位置が重合位置とせず位置ズレした偏心リング状にトロイダルコア１の形状を設定する場合、単にこのリング孔３の孔中心位置の偏心位置ズレ量を調整設計することで、トロイダルコア１の外周部の断面形状の面積（断面積）の変化量を容易に調整設計でき、この際後述の実施例のようにトロイダルコア１の側面視肉厚が一定であれば、このトロイダルコア１の中心位置に対するリング孔３の孔中心位置の偏心位置ズレ量の調整によりトロイダルコア１の表面積や容積，重量を変化させることなく一定に保持したまま、このトロイダルコア１の外周部の断面形状の面積（断面積）の変化量を調整設計することも可能となる。
【実施例１】
【００３１】
本発明の具体的な実施例１（以下、Ａ型という。）について図面に基づいて説明する。
本発明のトロイダルコア１は、強磁性を有する材質により構成したものであって、このトロイダルコア１の外周面に連続的に巻線した前記導線２の巻線径が一定ではなくこのトロイダルコア１の周方向に沿って徐々に漸増若しくは漸減するように、このトロイダルコア１の外周面の断面形状を一定ではなくこのトロイダルコア１の周方向に沿って外周面の断面形状の面積（断面積）が徐々に漸増若しくは漸減する形状に設定したものである。【００３２】
尚、トロイダルコア１の外周面の「断面形状」なる記載は、このトロイダルコア１の外周面の所定箇所を、当該箇所に巻線された導線２の巻線方向に沿って切断した際の切断面の形状を意味するものである。また、トロイダルコア１の「周方向」なる記載は、トロイダルコア１の平面視における周回り方向を意味するものである。【００３３】
従って、トロイダルコアの外周部の形状が急激に増減しておらず徐々に漸増若しくは漸減する形状の為、この外周部に導線２を連続的に巻線する作業を別段の困難性無く通常通り行うことができる。また、この外周部に巻線した導線２の巻線径は徐々に漸増若しくは漸減して変化するので、この巻線径の漸増，減変化に伴い、連続的に異なる複数の共振周波数を有することができ、よって特定の非常に広い周波数帯域の全域において秀れた（高い）減衰特性が得られる構造とすることも容易に実現可能である。【００３４】
具体的には、図１に図示したように、円盤体の中央部に貫通状態に円形のリング孔３を有するリング状に形成している。即ち、平面視において外側周面部が円形で、且つリング孔３の内面部も円形の円環リング状としている。また更に、この円環リング状のトロイダルコア１の中心位置に対し、リング孔３の孔中心位置は重合位置とせずにズレた位置に設定して偏心リング状にこのトロイダルコア１の形状を設定している。【００３５】
従って、このリング孔３の臨界孔中心位置の偏心位置ズレによって、トロイダルコア１は、平面視においてリング孔３の内面部からトロイダルコア１の外側周面部までの距離が一定ではなく変化した形状となり、これにより、このトロイダルコア１の外周部の断面形状が一定ではなくその断面形状の面積（断面積）が周方向に沿って徐々に漸増及び漸減するように設定している。【００３６】
尚、本実施例１（Ａ型）では、このトロイダルコア１の側面視における肉厚（板厚）は一定に設定している。
ここで、一般的なトロイダルコアの形状は、側面視における肉厚（板厚）が一定の円盤体の中央部の中心位置に円形の貫通孔を形成して成るリング状であるが、これに対して、本実施例品のトロイダルコア１の形状は、側面視における肉厚が一定の円盤体の中央部に円形のリング孔３を形成するがそのリング孔３の孔中心位置はトロイダルコア１の中心位置に対して位置ズレした偏心リング状である。つまり、トロイダルコア１の中心位置に対してリング孔３の孔中心位置の偏心位置ズレ量をゼロとしたのが従来の一般的なトロイダルコア１の形状であり、このリング孔３の孔中心位置の偏心位置ズレ量を所定量設けたものが本実施例のトロイダルコア１の形状である。【００３７】
従って、このトロイダルコア１の中央部のリング孔３の孔中心位置の偏心位置ズレ量を調整設定することで、トロイダルコア１の外周部の断面形状の面積の変化量や変化率の調整設定を容易に図れる。即ち、導線２の巻線径、ひいては共振周波数を決定するトロイダルコア１の外周部の断面形状の変化量や変化率を、単に設計時にリング孔３の孔中心位置の偏心位置ズレ量を調整設計するだけで簡単に調整設計でき、よって所望の前記変化量や変化率を有するトロイダルコア１の形状を簡易に設計・実現可能である。また、リング孔３の偏心位置ズレ量に関わり無く、トロイダルコア１の表面積や容積，質量は変化しないので、トロイダルコア１の外周部の断面形状の面積の変化量や変化率の調整設計時にこのトロイダルコア１の表面積や容積，質量の変化は一切考慮する必要は無く、この点においても取り扱いが容易で実用性が高い。【００３８】
尚、このトロイダルコア１は、外周部の断面形状の面積（断面積）が最小となる箇所に対して、外周部の断面形状の面積（断面積）が最大となる箇所の面積比が１．１倍〜５００倍，好ましくは１．５倍〜１１．２倍となる形状に設定する。これにより、トロイダルコア１の外周部に連続的に巻線した導線２の巻線径を確実に変化させ、ひいては、異なる複数の共振周波数を保有し広い周波数帯域で高い減衰特性を発揮するとういう本実施例の上記秀れた特性を確実に発揮できることとなる。【００３９】
また、図１に図示した形状と同様にして、本実施例のトロイダルコア１は、外側周面部及びリング孔３の内面部の形状を円状若しくは少なくとも五角形以上の多角形状に設定し、このトロイダルコア１の外周部の断面形状の面積、即ち断面積が最小となる箇所から最大となる箇所まで、このトロイダルコア１の周方向に沿って前記断面積が急激に増減せず、徐々に（連続的且つなだらかに）漸増する形状に設定してもよい。即ち、例えばトロイダルコア１の外側周面部を三角形や四角形とし、その中央にリング孔３を三角形や四角形状に形成した構成とした場合、このトロイダルコア１の前記断面積が最小となる箇所から最大となる箇所に至る範囲に連続的に巻線された導線２の巻線径は増加と減少を繰り返す形状となり、この連続的に巻線された各導線２が有する共振周波数もその周波数域が増減することになる。【００４０】
この点、本実施例では、トロイダルコア１の外側周面部を円状に形成し、リング孔３も円状に形成している為、前記断面積が最小となる箇所から最大となる箇所に至る範囲に連続的に巻線された導線２の巻線径は、このトロイダルコア１の周方向に沿って急激に増加したり減少したりせず、徐々に漸増することとなる。それ故、この連続的に巻線された各導線２が有する共振周波数も、増えたり減ったりを繰り返さず連続的にその周波数域が推移することとなり、このように増えたり減ったりせず連続的に周波数域が推移する複数の共振周波数の集合により、広い周波数帯域で非常に秀れた減衰特性を発揮できることとなる。【００４１】
また、このように外周部の断面形状の面積が急激に増減せず連続的に（なだらかに）漸増する形状とした場合、この外周部に導線２を巻線する作業もやり易く生産性にも秀れる。また、本実施例のようにトロイダルコア１の外側周面部及びリング孔３の内面部の形状を円形とせずとも、例えば外側周面部及びリング孔３の内面部の形状を五角形以上の多角形状に形成して、外周部に巻線する導線２の巻線径が急激に増減を繰り返すことを阻止できる形状に設定することも可能である。この場合、より多角形化することで、巻線径の急激な増減を一層良好に阻止できる形状に設定可能である。【００４２】
尚、上記実施例１においては、上述のようにトロイダルコア１の形状を設定しているが、これに限らず、例えば図２に図示した他の例のように、トロイダルコア１の中心位置に対して中央部のリング孔３の孔中心位置は重合位置に設定しているが、このリング孔３の形状を円形ではなく図示した楕円型や例えば星型などにすることで、平面視においてこのトロイダルコア１のリング孔３の内面部からトロイダルコア１の外側周面部までの距離が一定ではなく変化した形状に設定してもよい。【００４３】
ここで、コア直径１０ｍｍでコア中心位置と中央部のリング孔（内径８ｍｍ）３の孔中心位置とが偏心位置ズレした偏心リング状のトロイダルコア（厚み２ｍｍ）１に、直径０．２ｍｍの導線２を３９回巻線して成る図７（ｂ）、図８（ｂ）に示す形状のリング状巻線型インダクタ（ノーマルモード）の本実施例１について、これをネットワークアナライザで減衰特性評価した結果を図９及び図１０に示す。比較品としては、本実施例品と同様にコア直径が１０ｍｍ、リング孔内径８ｍｍであるがコア中心位置とリング孔５の孔中心位置が偏心位置ズレしておらず重合状態の（偏心リング状ではない）通常の同心円環リング状のトロイダルコア（厚み２ｍｍ）６（図７（ａ），図８（ａ）参照）に、直径０．２ｍｍの導線２を３９回巻線して成る構成の通常（従来品）のリング状巻線型インダクタ（ノーマルモード）を採用する。なお、図７，図８において、巻き線は省略されている。【００４４】
スイーパ（掃引信号発振器）からレシーバ（受信装置）に掃引信号を発振しつつ、ネットワークアナライザ（高周波測定器）により減衰量（減衰特性）を評価する。この際、図７に図示したように、マイクロストリップライン４を配線した試験用回路基板に対してトロイダルコア１，６を縦に実装して評価試験を行った場合の結果を図９に示し、図８に図示したようにマイクロストリップライン４を配線した試験用回路基板に対してトロイダルコア１，６を横に実装して評価試験を行った場合の結果を図１０に示す。【００４５】
図９から分かるように、トロイダルコア１，６を縦に実装して評価試験を行った場合、本実施例品は２０ＭＨｚ近辺から６０００ＭＨｚ近辺の広範囲に亘って減衰量−２０ｄＢ以上の秀れた減衰特性を発揮できるのに対し、比較品は２０ＭＨｚ近辺から減衰量−２０ｄＢ以上を発揮できるものの１０００〜２０００ＭＨｚの範囲で、その減衰量が略−１８ｄＢ近辺まで弱まってしまう。【００４６】
また、図１０から分かるように、トロイダルコア１，６を横に実装して評価試験を行った場合、本実施例品は２０ＭＨｚ近辺から８０００ＭＨｚの広範囲に亘って減衰量−２０ｄＢ以上の秀れた減衰特性を発揮できるのに対し、比較品は１０００〜２０００ＭＨｚの範囲で、その減衰量が略−１８ｄＢまで弱まってしまう。このように、本実施例品は比較品に比して秀れた（高い）減衰特性を広範囲に亘って（特に、１ＧＨｚ以上の高周波領域において）発揮でき得るものである。【００４７】
以上、本実施例によれば、たった一体で非常に広範囲に亘って高い減衰特性が得られるリング状巻線型インダクタを簡易な構成により確実に実現でき、例えば高周波回路などに実装するインダクタとして極めて好適であり、画期的で実用性及び量産性に秀れたリング状巻線型インダクタとなる。
【実施例２】
【００４８】
また、例えば図３及び図４には、本発明に他の実施例(実施例２。以下、Ｂ型という。)を示す。図３のように、トロイダルコア１の中心位置に対して中央部のリング孔３の孔中心位置は重合位置に設定しているが、トロイダルコア１を側面視において肉厚（板厚）が一定ではなく変化した形状に設定している。この図３及び図４に図示した実施例２（Ｂ型）では、トロイダルコア１の肉厚が最小となる箇所から最大となる箇所まで、その肉厚が急激に増減するのではなく徐々に漸増する（特にこの図示した別例２では、一定率で肉厚が漸増する）形状とし、このトロイダルコア１の外周部に巻線する導線２の巻線径が急激に増減せず、連続的に変化する（前記肉厚が最小の箇所から最大の箇所から漸増する）形状となるように設定する。【００４９】
この場合も、実施例１（Ａ型）と同様に、コアの断面積が円周方向に変化する形状となっており、他の実施形態として前記実施例１（Ａ型）と同様の効果が期待できる。
なお、図３に示すコアの断面は台形（または３角形）であるが、コア断面の角に丸みを付け、台形（または３角形）状の略楕円形とした方がよい。断面が略楕円形状の方が巻き線に有利なので、製品としてはこの方が好ましい。この場合も、コアの断面積が円周方向に変化する形状となっており、前記効果の点で両者に差異がない。
【実施例３】
【００５０】
また、例えば図５及び図６には、本発明の他の実施例(実施例３。以下、Ｃ型という。)を示す。図５，図６に示すように、トロイダルコア１の肉厚を変化させて尚且つリング孔３の孔中心位置を偏心した位置ズレ状態に設定すれば、トロイダルコア１の外周部の断面形状の面積（断面積）の変化量，変化率を一層大きく設けることができる。その他にも、トロイダルコア１の外周部の断面形状が一定ではなく箇所によって変化した形状であれば、前述したものに限らず種々の形状のものを採用できる。【００５１】
このように、実施例３（Ｃ型）のものは、コアの中心孔を偏心させると共に、コアの断面形状も台形にし円周方向断面積を変化させたものである。このため、コアの円周方向断面積の変化は、Ａ型、Ｂ型より大きく、Ａ型、Ｂ型の効果が重畳されたものとなる。【００５２】
なお、図５に示すコアの断面は台形であるが、コア断面の角に丸みを付け、台形状の略楕円形とした方がよい。断面が略楕円形状の方が巻き線に有利なので、製品としてはこの方が好ましい。この場合も、コアの断面積が円周方向に変化する形状となっており、前記効果の点で差異がない。【００５３】
なお、図１３，図１４に示されるように、コアの中心孔はコアの肉厚の一番薄い方向に偏心される。この形状が、トロイダルコア１の外周部の断面形状の面積（断面積）の変化量，変化率を一番大きくすることができるからである。【００５４】
本実施例では、このトロイダルコア１の外周部に、このトロイダルコア１のリング孔３を通過するようにして導線２を連続的に巻線する。この巻線方法は、ノーマルモードでもコモンモードの何れの巻線方向を採用しても良い。【００５５】
また、本実施例３においては、図１９に示すように、このトロイダルコア１の周方向全周に連続的に導線２を巻線することとしているが、例えば図２１に示すように、このトロイダルコア１の周方向半周など、一部にのみ導線２を巻線する構成としても良い。【００５６】
また、導線を２本巻き、４端子として変成器として用いてもよい。この場合も一体で広帯域の変成器が得られることになる。巻き方は、図２１のように１本を半周巻き、他の半周にもう１本の導線を巻く実施例が想定される。【００５７】
図１１には、前記本発明の実施例２の具体的な設計例を示す。図１１のコアにおいて、コアの外径１０は８．５ｍｍであり、コアの中心の孔１１の直径は５ｍｍである。また、中心孔１１の中心とコア外径１０の中心とは、距離にして０．８７ｍｍだけ偏心している。なお、コアの厚み（横幅）は３ｍｍである。【００５８】
同様に、図１２には、前記本発明の実施例２の具体的な他の設計例を示す。図１２のコアにおいて、コアの外径１２は５ｍｍであり、コアの中心の孔１３の直径は３ｍｍである。また、中心孔の中心とコア外形の中心とは、距離にして０．７ｍｍだけ偏心している。なお、コアの厚み（横幅）は３ｍｍである。【００５９】
同様に、図１３には、前記本発明の実施例３の具体的な設計例を示す。図１３のコアにおいて、コアの外径１５は３ｍｍであり、コアの中心の孔１６の直径は１．５ｍｍである。また、中心孔の中心とコア外形の中心とは、距離にして０．５ｍｍだけ偏心している。さらに、コアの断面は、図１３（ｂ）に示す如く台形１７をなし、上記コア中心の孔は、該台形の細い方に偏心している。上記台形において、上辺と下辺のなす角度（交差角）は１４°である。すなわち、上記コアの厚みは最大で１．５ｍｍ、最小で０．７５ｍｍとなっている。【００６０】
同様に、図１４には、前記本発明の実施例３の具体的な他の設計例を示す。図１４のコアにおいて、コアの外径２０は８．５ｍｍであり、コアの中心の孔２１の直径は５ｍｍである。また、中心孔２１の中心とコア外形２０の中心とは、距離にして０．８７ｍｍだけ偏心している。さらに、コアの断面は、図１４に示す如く台形２２をなし、上記コア中心の孔は、該台形の細い方に偏心している。上記台形において、上辺と下辺のなす角度（交差角）は１３°である。すなわち、上記コアの厚みは最大で２．８ｍｍ、最小で０．８８ｍｍとなっている。【００６１】
ここで、上記実施例１〜３について、従来品と比較した、周波数―損失特性、直流重畳特性実験結果を図１６，図１７に示す。また、上記実施例３について、従来品と比較した温度上昇特性の実験結果を図１８に示す。なお、図１５は、図１６〜図１８における各曲線の対象とする上記従来例、本発明の実施例１〜３の形状（Ａ〜Ｃ型）と対応する記号を示す。なお、各サンプルは、すべてフェライト（コア）の体積は同じで、コアの形状だけ変化させたものである。また、多少厚み寸法が異なるが、図１５の３１の参照拡大図が図１１に示され、図１５の３３の参照拡大図が図１４に示される。【００６２】
また、実施例１（Ａ型）について、中心孔の位置を少しづつずらした場合の、すなわち中心孔の偏心率を変化させた場合の周波数特性の測定結果を図２３，図２４に示す。なお、図２３，図２４の測定に用いたサンプルは、図２２に示される。図２２において、コアの直径（７０）は８．５ｍｍであり中心孔（７１）の直径は５ｍｍであり、コアの厚み（７３）は４ｍｍである。また、中心孔の中心とコア外形の中心との距離は７４に示されるように０．３５〜１．７５まで変化させており、図２３，図２４のグラフにおいては、これをコア断面積の最小値（すなわち、最も細い箇所の断面積）と最大値（すなわち、最も太い箇所の断面積）の比として表示してある。【００６３】
図１６の損失特性のグラフにおいて、４０は測定系の概略図を示し、ＰＯＲＴ１からＰＯＲＴ２にノイズ成分である各周波数の信号を送り、どれだけ該ノイズ成分が検出されたかを表示している。【００６４】
なお、図１６において、４４は、図１５のサンプル３０（従来品）の曲線を、４３は、図１５のサンプル３１（Ａ型）の曲線を、４２は、図１５のサンプル３２（Ｂ型）の曲線を、４１は、図１５のサンプル３３（Ｃ型）の曲線をそれぞれ示す。【００６５】
図１６において、従来品の曲線４４は、４０００ＭＨｚ以上の高周波領域でインピーダンスが低下しているのが分かる。一方、本発明の実施例３（Ｃ型）の曲線４１は、４０００ＭＨｚ以上の高周波領域で損失特性が少ない。すなわち、インピーダンスの低下が少なく、インダクタンス値が保たれているのが分かる。同様に、本発明の実施例１，２（Ａ型、Ｂ型）の曲線４３，４２も、従来品（曲線４４）より４０００ＭＨｚ以上の高周波領域での損失特性が少ないことが明らかである。【００６６】
また一方、図２３において、８１は、コアの断面積比が１（従来品）の場合の曲線、同じく８２はコアの断面積比が２（実施例１）の場合の曲線、８３はコアの断面積比が２．７（実施例１）の場合の曲線、８４はコアの断面積比が８．６（実施例１）の場合の曲線、８５はコアの断面積比が１１．５（実施例１）の場合の曲線を示す。横軸が周波数、縦軸は通過損失量を示す。【００６７】
図２３において、従来品（曲線８１）は、通過損失量が４０００ＭＨｚ〜１２０００ＭＨｚにわたって急激に低下しているのに対して、例えば最も偏心している（断面積比１１．５）の本発明の曲線８５の場合、通過損失量が４０００ＭＨｚ〜１２０００ＭＨｚにわたってー１ｄＢから―２ｄＢとその損失量が小さい。このことから偏心した本発明の巻き線型トロイダルコアの方が高い周波数の方までインピーダンスが保たれている。【００６８】
同様に、偏心率（断面積比２〜８．６）の本発明の曲線８２〜８４の場合も、明らかに従来品（曲線８１）より高周波数領域におけるインピーダンスが大きいことが分かる。
図２４は、図２３のグラフにおいて、別の観点から―１ｄＢを通過するときの周波数を前記コアの断面積比に対してプロットしたものである。図２４においても、明らかに高周波領域においてコアの中心孔が偏心した本発明の実施品の方が高周波域での損失特性が優れていることが分かる（図２４において、断面積比１が従来品である）。【００６９】
また、同時に前記断面積比が大きくなるほど、そのインピーダンスの低下が小さくなることも分かる。ただ、コアの製造においてコア断面積の薄い部分（細肉箇所）には工作上の限界があるが、今後製造上の工夫により更に断面積比が大きいコアが製造できればさらに性能の向上が期待できる。その断面積比は、５００倍位までのものが実現可能である。【００７０】
また、図１７の直流重畳特性のグラフにおいて、５４は、図１５のサンプル３０（従来品）の曲線を、５１は、図１５のサンプル３１（Ａ型）の曲線を、５３は、図１５のサンプル３２（Ｂ型）の曲線を、５０は、図１５のサンプル３３（Ｃ型）の曲線をそれぞれ示す。なお、コイルの巻き数は２８回（線径０．２ｍｍ）であり、測定周波数は１ＭＨｚである。【００７１】
図１７のグラフにおいて、従来品（曲線５４）は、当初１７μＨであったものが、電流の増加と共にインダクタンスが低下し、２Ａでは２μＨにまで低下して、当初のインダクタンスの１／８程度にまで低下している。グラフからおそらく０．３Ａ付近で飽和してしまっており、この近辺でもう使用に耐えられず、大電流に対する耐性がないことが分かる。
【００７２】
一方、本発明の実施品(Ｃ型)を示す曲線５０は、当初７．５μＨだったものが、電流を増加させてもさほどインダクタンスの急激な低下は見られず、２．０Ａに到ってもまだ２．５μＨとなっており、その変化率は当初のインダクタンスの１／３である。【００７３】
このように、本発明の実施品(Ｃ型)を示す曲線５０はインダクタンスの変化率が小さく、大電流に対する耐性が従来品より大きいことが分かる。
なお、本発明の実施品(Ａ型)を示す曲線５１や同じく実施品(Ｂ型)を示す曲線５３も２．０Ａにおけるインダクタンスは従来品のそれの倍近くあり、Ｃ型ほどではないにしても、従来品よりはインダクタンスの変化率が小さく（１／４〜１／５程度）、大電流に対する耐性が良好であることが分かる。【００７４】
図１７の直流重畳特性と同様なことが図１８の温度上昇特性の比較グラフからも見てとれる。図１８の発熱特性のグラフにおいて、６０は、図１５のサンプル３０（従来品）のコイルの温度上昇曲線を、６１は、図１５のサンプル３３（Ｃ型）に巻かれたコイルの温度曲線を、６２は、図１５のサンプル３０（従来品）のコアの温度曲線を、６３は、図１５のサンプル３３（Ｃ型）に巻かれたコアの温度曲線、６４は室温をそれぞれ示す。【００７５】
明らかに、本発明の実施品(Ｃ型)の示す曲線６１，６３は、従来品の示す曲線６０，６２と対比すると、温度上昇が小さい。
この温度上昇が低いことは、近年の回路の高密度化の傾向の中で重要な要素となる。たとえば、ノートブックパソコンや携帯電話等の小型、かつ高密度回路機器では、いかに回路の放熱をするかに苦慮しており、コアの温度上昇が少なければ、熱設計が非常に楽になるので、この特性は産業上の利用性が非常に高い。【００７６】
図１７,図１８の特性の要因は、本発明の実施例の場合、電流を上げていくとコアは断面積の小さい部分が部分的に磁気飽和し、他の断面積の大きい部分で飽和しない部分が残っているためではないかと推測される。一方、従来品のようにコアのすべての箇所で断面積が同じ場合は、すべての部分が同時に飽和してしまい、高電流ではインダクタンスが０に近くなって発熱量も大きいものと思われる。本発明の実施例の場合、上記のように断面積の大きい部分で飽和しない部分が残っているため、高電流でもインダクタンスが残存しているものと推測される。【００７７】
なお、図１８において、同じＣ型でもコイルの温度上昇（曲線６１）の方がコアの温度上昇（曲線６３）より大きい。これは、上記のようにインダクタンスの低下により流れる大電流によって発生する巻き線抵抗の温度上昇の方が、コア自体の温度上昇より大きいためと考えられる。【００７８】
また、図１７において、Ａ型，Ｂ型のものは、Ｃ型に比べ、インダクタンスの変化が大きいが、これはＣ型の場合、コア断面積の最小値と最大値の比がＡ型，Ｂ型のものより大きく、このため残存する飽和しないコアの比率が大きくなるためではないかと推測される。【００７９】
図２０には、この発明の実施例の使用例を示す。近年の回路の高密度化の傾向の中で、たとえば、ノートブックパソコン等では、いかに回路の放熱をするかに苦慮しており、コアの温度上昇が少なければ熱設計が非常に楽になると共に、より高密度化が可能になる効果がある。
【産業上の利用可能性】
【００８０】
この発明のリング状巻線型インダクタは、（１）大電流対応バイアスＴ回路や光通信、ワイヤレス通信の基地用（２〜１０Ａ、１００ｋＨｚ〜１０ＧＨｚ）、（２）車載用ノイズフィルタ（５〜１０Ａ、１００ｋＨｚ〜２ＧＨｚ）、（３）工業用ノイズフィルタ（２０〜２００Ａ、１００ｋＨｚ〜５０ＭＨｚ）、（４）電力線通信用ノイズフィルタ（１〜１５Ａ、５００ｋＨｚ〜１ＧＨｚ）、（５）エアコン、冷蔵庫、洗濯機等のインバータを使用している家電製品のノイズフィルタ（ＬＣフィルタ、１〜１０Ａ、１００ｋＨｚ〜１００ＭＨｚ）等幅広い用途がある。【００８１】
上記用途において、本発明の実施例は、単体で広帯域のインダクタンス特性を有するので、部品点数を減らすことができ、回路設計に有利になる。
また、本発明の実施例は大電流に対する耐性が高く大電流でも温度上昇が低いので、大電流を使用するノイズフィルタやバイアス回路等に用いると、熱設計が楽になると共に熱として浪費されるエネルギーが減少し電力消費も少なくなる利便性があり、産業上の利用性が高い。【００８２】
さらには、上記温度上昇が低いことは、近年の回路の高密度化の傾向の中で重要な要素となる。たとえば、ノートブックパソコン等では、いかに回路の放熱をするかに苦慮しており、コアの発熱が少なければ、熱設計が非常に楽になるので、この特性は産業上の利用性が非常に高い。
【図１】
2008084684.tif 000003
【図２】
2008084684.tif 000004
【図３】
2008084684.tif 000005
【図４】
2008084684.tif 000006
【図５】
2008084684.tif 000007
【図６】
2008084684.tif 000008
【図７】
2008084684.tif 000009
【図８】
2008084684.tif 000010
【図９】
2008084684.tif 000011
【図１０】
2008084684.tif 000012
【図１１】
2008084684.tif 000013
【図１２】
2008084684.tif 000014
【図１３】
2008084684.tif 000015
【図１４】
2008084684.tif 000016
【図１５】
2008084684.tif 000017
【図１６】
2008084684.tif 000018
【図１７】
2008084684.tif 000019
【図１８】
2008084684.tif 000020
【図１９】
2008084684.tif 000021
【図２０】
2008084684.tif 000022
【図２１】
2008084684.tif 000023
【図２２】
2008084684.tif 000024
【図２３】
2008084684.tif 000025
【図２４】
2008084684.tif 000026
【国際調査報告】
2008084684.tif 000027
2008084684.tif 000028
2008084684.tif 000029
2008084684.tif 000030